(57)【特許請求の範囲】
【請求項１】
建物外壁面を構成する複数の面状体が上下左右に設けられるカーテンウォールであって、
前記複数の面状体は、枠体と面材とを有した第１面状体を複数含んで構成され、
前記第１面状体には、前記面材の屋内側に対向する屋内面材と、これらの面材と屋内面材との間に形成される中間空間とが設けられ、
前記第１面状体の上部には、屋外側に開口するとともに上方に開口した上部通気経路と、この上部通気経路の下側に設けられて屋外と前記中間空間とを連通する下部通気経路とが形成され、当該第１面状体の底部には、前記中間空間に連通するとともに下方に開口した底部開口が形成され、
前記第１面状体同士が上下に設けられた状態において、下側の第１面状体の上部通気経路と上側の第１面状体の底部開口とが連通され、この上部通気経路および底部開口によって外気を前記中間空間に導入する外気導入口が構成されるとともに、前記下部通気経路によって前記中間空間の内気を排出する内気排出口が形成され、前記中間空間が換気可能に構成されたカーテンウォール。
【請求項２】
建物外壁面を構成する複数の面状体が上下左右に設けられるカーテンウォールであって、
前記複数の面状体は、枠体と面材とを有した第１面状体と、全体板状でコンクリート製の第２面状体とを含んで構成され、
前記第１面状体には、前記面材の屋内側に対向する屋内面材と、これらの面材と屋内面材との間に形成される中間空間とが設けられ、
前記第１面状体の上部には、屋外側に開口するとともに上方に開口した第１上部通気経路と、この第１上部通気経路の下側に設けられて屋外と前記中間空間とを連通する下部通気経路とが形成され、当該第１面状体の底部には、前記中間空間に連通するとともに下方に開口した底部開口が形成され、
前記第２面状体の上部には、屋外側に開口するとともに上方に開口した第２上部通気経路が形成され、
前記第１面状体の下側に前記第２面状体が設けられた状態において、下側の第２面状体の第２上部通気経路と上側の第１面状体の底部開口とが連通され、この第２上部通気経路および底部開口によって外気を前記中間空間に導入する外気導入口が構成されるとともに、前記下部通気経路によって前記中間空間の内気を排出する内気排出口が形成され、前記中間空間が換気可能に構成されたカーテンウォール。
【請求項３】
前記第２面状体の下側に前記第１面状体が設けられた状態において、下側の第１面状体の第１上部通気経路が当該上側の第２面状体の底面によって閉塞され、当該第１上部通気経路と屋内空間とが非連通に構成されるとともに、前記第１面状体の下部通気経路によって前記中間空間の内気を排出する内気排出口が形成され、前記中間空間が排気可能に構成された請求項２に記載のカーテンウォール。
【請求項４】
前記第２面状体の上部における前記第２上部通気経路の下側には、前記第１面状体の下部通気経路と同様の外観を有した外装部材が取り付けられている請求項２または請求項３に記載のカーテンウォール。
【発明の詳細な説明】
【技術分野】
【０００１】
本発明は、建物外壁面を構成する複数の面状体を上下左右に並べて構成されるカーテンウォールに関する。
【背景技術】
【０００２】
従来より、建物の外壁面を構成するカーテンウォールとして、屋外の空気を取り入れるとともに屋内の空気を排出する換気機能を有したカーテンウォールが提案されている（例えば、特許文献１参照）。
特許文献１に記載されたカーテンウォールは、屋内空間と屋外空間とを仕切るガラスパネル等の面材が二重に設けられ、それらの面材同士の間に中間空間を有した、いわゆるダブルスキンタイプのカーテンウォールであって、下枠部分に外気を中間空間に取り入れ可能な下部換気口が設けられ、上枠部分に中間空間の内気を排出可能な上部換気口が設けられている。このような換気機能を有したダブルスキンタイプのカーテンウォールでは、中間空間に取り込んだ外気が日射によって暖められて上昇し、この上昇した暖かい中間空間の内気が屋外に排出されることで、中間空間の温度上昇を抑制するとともに屋内空間の温度の変動をも抑制することができ、空調負荷を低減させることが可能になっている。
【０００３】
【特許文献１】特開２００６−３２８９０５号公報
【発明の開示】
【発明が解決しようとする課題】
【０００４】
ところで、特許文献１に記載されたような従来のカーテンウォールでは、各階の階高寸法に対応して個々のカーテンウォールユニットが形成され、このカーテンウォールユニットの下端部に下部換気口が設けられて上端部に上部換気口が設けられている。そして、カーテンウォールユニット同士を上下に並べた状態において、下側のカーテンウォールユニットの上部換気口と上側のカーテンウォールユニットの下部換気口とが上下に隣り合って位置し、これらの換気口の屋外側に設けられたルーバーが上下に並ぶようになっている。
しかしながら、従来のカーテンウォールでは、上下のカーテンウォールユニットを設置する際に施工誤差が生じると、上下に並ぶルーバーの位置ずれが目立ってしまい、外観意匠が低下してしまう可能性があるため、カーテンウォールユニットの取り付けに際して位置決め作業に手間が掛かるという不都合がある。また、従来のように、個々のカーテンウォールユニットの上下に分けて換気口およびルーバーを設けた構造では、任意の階において当該ユニットの左右にＰＣ（プレキャストコンクリート）カーテンウォール等のカーテンウォールユニットと構造が異なる壁体が設けられた場合には、換気口のルーバーが左右に連続せずに、上下いずれかの換気口が途中で途切れてしまうなど、外観デザイン上の不都合を生じる可能性がある。
【０００５】
本発明の目的は、換気機能を設けた場合でも施工性および外観意匠性が良好にできるカーテンウォールを提供することにある。
【課題を解決するための手段】
【０００６】
本発明のカーテンウォールは、建物外壁面を構成する複数の面状体が上下左右に設けられるカーテンウォールであって、前記複数の面状体は、枠体と面材とを有した第１面状体を複数含んで構成され、前記第１面状体には、前記面材の屋内側に対向する屋内面材と、これらの面材と屋内面材との間に形成される中間空間とが設けられ、前記第１面状体の上部には、屋外側に開口するとともに上方に開口した上部通気経路と、この上部通気経路の下側に設けられて屋外と前記中間空間とを連通する下部通気経路とが形成され、当該第１面状体の底部には、前記中間空間に連通するとともに下方に開口した底部開口が形成され、前記第１面状体同士が上下に設けられた状態において、下側の第１面状体の上部通気経路と上側の第１面状体の底部開口とが連通され、この上部通気経路および底部開口によって外気を前記中間空間に導入する外気導入口が構成されるとともに、前記下部通気経路によって前記中間空間の内気を排出する内気排出口が形成され、前記中間空間が換気可能に構成されたことを特徴とする。
【０００７】
このような本発明によれば、下側の第１面状体の上部通気経路と上側の第１面状体の底部開口とを連通させて外気導入口を構成したことで、この外気導入口を介して外気を中間空間にに取り込むことができる。そして、第１面状体の上部に設けた下部通気経路で内気排出口を構成したことで、中間空間の内気を屋外に排出することができ、中間空間の換気を実施することができる。さらに、第１面状体の下部に位置する外気導入口から中間空間に外気を取り込み、この取り込んだ空気が中間空間において日射等によって暖められて上昇することで、上昇した空気を第１面状体の上部に位置する内気排出口から屋外に排出することができる。従って、換気ファンなどの動力を用いなくても自然換気によって中間空間の換気を実施し、中間空間の温度上昇を抑制することができ、このような中間空間によって外気と遮断された屋内空間の空調負荷を低減させることができる。
【０００８】
また、第１面状体の上部に上部通気経路および下部通気経路を形成し、第１面状体の底部に下方に開口した底部開口を形成したことで、第１面状体の外観上の正面には、上部通気経路および下部通気経路が表れるものの底部開口が見えないようにできる。従って、第１面状体の取り付け作業時に施工誤差があったとしても、上部通気経路と下部通気経路とが位置ずれすることがなく、上部通気経路と底部開口との位置ずれも目立たなくできるので、外観意匠性を良好にすることができるとともに、取り付け作業の作業性を向上させることができる。さらに、第１面状体の上部にまとまって上部通気経路および下部通気経路が配置されていることから、左右に異なる構造の壁体が設けられる場合でも、この壁体と第１面状体との上端縁および下端縁を直線的に連続させて通すことができ、カーテンウォール全体の外観意匠をさらに良好にすることができる。
【０００９】
また、本発明のカーテンウォールは、建物外壁面を構成する複数の面状体が上下左右に設けられるカーテンウォールであって、前記複数の面状体は、枠体と面材とを有した第１面状体と、全体板状でコンクリート製の第２面状体とを含んで構成され、前記第１面状体には、前記面材の屋内側に対向する屋内面材と、これらの面材と屋内面材との間に形成される中間空間とが設けられ、前記第１面状体の上部には、屋外側に開口するとともに上方に開口した第１上部通気経路と、この第１上部通気経路の下側に設けられて屋外と前記中間空間とを連通する下部通気経路とが形成され、当該第１面状体の底部には、前記中間空間に連通するとともに下方に開口した底部開口が形成され、前記第２面状体の上部には、屋外側に開口するとともに上方に開口した第２上部通気経路が形成され、前記第１面状体の下側に前記第２面状体が設けられた状態において、下側の第２面状体の第２上部通気経路と上側の第１面状体の底部開口とが連通され、この第２上部通気経路および底部開口によって外気を前記中間空間に導入する外気導入口が構成されるとともに、前記下部通気経路によって前記中間空間の内気を排出する内気排出口が形成され、前記中間空間が換気可能に構成されたものであってもよい。
【００１０】
このような本発明によれば、下側の第２面状体の第２上部通気経路と上側の第１面状体の底部開口とを連通させて外気導入口を構成したことで、この外気導入口を介して外気を中間空間に取り込むことができる。そして、上側の第１面状体の上部に設けた下部通気経路で内気排出口を構成したことで、中間空間の内気を屋外に排出することができ、中間空間の換気を実施することができる。また、第１面状体の上部に第１上部通気経路および下部通気経路を形成し、第１面状体の底部に下方に開口した底部開口を形成するとともに、第２面状体の上部に第２上部通気経路を形成し、この第２上部通気経路を第１面状体の底部開口に連通させることで、第１面状体および第２面状体の外観上の正面には、第１および第２の上部通気経路や下部通気経路が表れるものの底部開口が見えないようにできる。従って、第１および第２の面状体の取り付け作業時に施工誤差があったとしても、第１上部通気経路と下部通気経路とが位置ずれすることがなく、第２上部通気経路と底部開口との位置ずれも目立たなくできるので、外観意匠性を良好にすることができるとともに、取り付け作業の作業性を向上させることができる。
【００１１】
この際、本発明のカーテンウォールでは、前記第２面状体の下側に前記第１面状体が設けられた状態において、下側の第１面状体の第１上部通気経路が当該上側の第２面状体の底面によって閉塞され、当該第１上部通気経路と屋内空間とが非連通に構成されるとともに、前記第１面状体の下部通気経路によって前記中間空間の内気を排出する内気排出口が形成され、前記中間空間が排気可能に構成されたことが好ましい。
このような構成では、コンクリート製の第２面状体を設置した壁位置においては換気機能を設けずに、この第２面状体の上側および下側に設けた第１面状体においては、前述のように外気導入および内気排出の換気機能が設けられることとなる。従って、第１面状体の上下に第１面状体および第２面状体のいずれの面状体が設けられても、第１面状体の位置において換気機能を設けることができ、面状体の配置自由度を高めて建物の外壁面の意匠性を向上させることができる。
【００１２】
また、本発明のカーテンウォールでは、前記第２面状体の上部における前記第２上部通気経路の下側には、前記第１面状体の下部通気経路と同様の外観を有した外装部材が取り付けられていることが好ましい。
このような構成では、第１面状体の第１上部通気経路および下部通気経路と、第２面状体の第２上部通気経路および外装部材との外観が略同一に形成されるので、第１および第２の面状体が上下左右に適宜な順で設けられる場合であっても、外観意匠を統一することができる。この際、第１面状体と第２面状体とが左右に設けられる場合には、第１上部通気経路と第２上部通気経路とが左右に連続し、下部通気経路と通気外装部材とが左右に連続することになるため、下部通気経路の屋外側に設けるルーバー等と同様の部材で外装部材を形成しておけば、第２面状体の外装部材位置に通気経路が設けられていなくても、外観上はルーバー等を左右に連続させて外観デザインを良好にできる。
【発明を実施するための最良の形態】
【００１３】
以下、本発明の実施形態を図面に基づいて説明する。
図１は、本実施形態に係るカーテンウォール１を備える建物の外観を示す正面図である。図２および図３は、建物の外壁部分を断面して示す縦断面図および横断面図である。図４は、カーテンウォール１の一部を拡大して示す縦断面図であり、図１に矢視IV−IV線で示す断面図である。
建物の外壁面を構成するカーテンウォール１は、図１に示すように、屋外ガラスパネル１６を有して透光性のある第１面状体としてのカーテンウォールユニット１０と、プレキャストコンクリート製で透光性のない第２面状体としてのＰＣカーテンウォール２０とを備えて構成されている。
【００１４】
カーテンウォールユニット１０およびＰＣカーテンウォール２０は、それぞれ建物の各フロアの床レベル（図中ＦＬで示す）間の距離（階高）に応じた高さ寸法を有して形成され、上下左右に並べて設けられている。また、カーテンウォールユニット１０とＰＣカーテンウォール２０とは、それぞれ各階や設置位置において任意の見付け幅寸法を有して形成され、上下に設けられるカーテンウォールユニット１０同士の側端縁位置、あるいはＰＣカーテンウォール２０同士の側端縁位置は、上下で揃って連続して形成されていたり、上下で異なる位置に設けられ（位置ずれし）て形成されていたりする。すなわち、カーテンウォールユニット１０の上側（または下側）に上階（または下階）のカーテンウォールユニット１０が位置する部分と、ＰＣカーテンウォール２０が位置する部分とが構成されている。これと同様に、ＰＣカーテンウォール２０上側（または下側）に上階（または下階）のＰＣカーテンウォール２０が位置する部分と、カーテンウォールユニット１０が位置する部分とが構成されている。
【００１５】
カーテンウォールユニット１０は、図２および図３にも示すように、建物の各フロアの床スラブや梁などの建物躯体に固定されたブラケット２にファスナー（支持具）３を介して支持されている。このカーテンウォールユニット１０は、上枠１１、下枠１２、および左右の縦枠１３を四周枠組みした枠体と、左右の縦枠１３間に水平に架設された上下２本の中桟（中間横材）１４，１５と、この枠体内部の屋外寄りに保持された面材としての屋外ガラスパネル１６と、上枠１１と中桟１５との間に支持されたスパンドレルパネル１７と、中桟１５と下枠１２との間に支持された屋内面材としての２枚の屋内障子１８，１９とを有して構成されている。屋外ガラスパネル１６は、上側の中桟１４、左右の縦枠１３および下枠１２で囲まれた内部に移動不能に支持されており、この屋外ガラスパネル１６の屋内側に対向して屋内障子１８，１９が設けられ、屋外ガラスパネル１６と屋内障子１８，１９との間に中間空間１０Ａが形成されている。
【００１６】
これらの屋内障子１８，１９は、図示しない上框、下框および左右の縦框を框組みした内部に透光性のガラスパネルを嵌め込んで構成されており、それぞれ縦枠１３にヒンジを介して支持され、屋内側に向かって開閉自在に構成されている。そして、屋内障子１８，１９を開放することで中間空間１０Ａが屋内空間と連通され、屋内障子１８，１９を閉鎖することで中間空間１０Ａが屋内および屋外空間と遮断されるようになっている。つまり、カーテンウォールユニット１０は、屋外ガラスパネル１６と屋内障子１８，１９との間に中間空間１０Ａを有したダブルスキンタイプのカーテンウォールユニットである。また、カーテンウォールユニット１０の中間空間１０Ａには、中桟１５に吊り下げ支持された遮光ブラインド１０Ｂが上下開閉可能に設けられている。
【００１７】
カーテンウォールユニット１０の上枠１１、下枠１２、縦枠１３および中桟１４，１５は、それぞれアルミ形材製であり、ビス止めなどによって互いに緊結されている。上枠１１は、図４に示すように、全体略矩形中空状に形成される上枠本体１１Ａと、この上枠本体１１Ａから屋外側に延出する延出片部１１Ｂとを有して形成され、上枠本体１１Ａの上面には、上階のカーテンウォールユニット１０の下端縁を位置決めする位置決め部品１１Ｃが設けられている。下枠１２は、全体略矩形中空状の下枠本体１２Ａと、この下枠本体１２Ａの屋外側に設けられて屋外ガラスパネル１６の下端縁を保持する保持部材１２Ｂと、下枠本体１２Ａと保持部材１２Ｂとを連結する連結部材１２Ｃとを有して構成され、下枠本体１２Ａの下面には、下階のカーテンウォールユニット１０の位置決め部品１１Ｃに係合する位置決め部品１２Ｄが設けられている。そして、上枠本体１１Ａの上面と下枠本体１２Ａの下面との間には、それぞれ一方から他方に向かって突出する気密材１１Ｄが設けられ、この気密材１１Ｄによって気密性および水密性が得られるようになっている。さらに、下枠１２の保持部材１２Ｂ下面には、下方に突出してルーバー材３１（後述）に当接する止水材１２Ｅが取り付けられている。
【００１８】
また、中桟１４は、中空状の中桟本体１４Ａと、この中桟本体１４Ａの屋外側に設けられて屋外ガラスパネル１６の上端縁を保持する保持部１４Ｂと、中桟本体１４Ａから上方に延出する水返し部１４Ｃとを有して形成されている。そして、中桟１４の上側には、複数（本実施形態では、４本）のルーバー材３１〜３４が左右の縦枠１３間に架け渡されて取り付けられている。複数のルーバー材のうち、最上段のルーバー材３１は、縦枠１３の上端縁に固定されるとともに、上階のカーテンウォールユニット１０における下枠１２の保持部材１２Ｂに対向して延び、前記止水材１２Ｅの先端が当接されるようになっている。また、上から二段目のルーバー材３２は、上枠１１の延出片部１１Ｂ先端に連続して固定されており、延出片部１１Ｂとともにカーテンウォールユニット１０の内部を上下に仕切るように構成されている。そして、上から三段目のルーバー材３３は、二段目のルーバー材３２の下方に隙間を介して設けられ、四段目のルーバー材３４は、三段目のルーバー材３３の下方に隙間を介しかつ中桟１４の上方に隙間を介して設けられている。
【００１９】
以上のような上枠１１、中桟１４およびルーバー材３１〜３４が設けられたカーテンウォールユニット１０の上部には、屋外側に開口するとともに上方に開口した上部通気経路（第１上部通気経路）３５と、この上部通気経路３５の下側に設けられて屋外ガラスパネル１６の屋内外を連通する下部通気経路３６とが形成されている。すなわち、上部通気経路３５は、最上段のルーバー材３１と二段目のルーバー材３２との隙間を介して屋外側に開口し、ルーバー材３１と上枠１１の延出片部１１Ｂとの隙間に連通され、ルーバー材３１と上枠本体１１Ａおよび気密材１１Ｄとの隙間を介して上方に開口して形成されている。一方、下部通気経路３６は、二段目から四段目の各ルーバー材３２，３３，３４同士の隙間および四段目のルーバー材３４と中桟１４との隙間を介して屋外側に開口され、上枠１１と中桟１４との隙間および中桟１４とスパンドレルパネル１７との隙間を介して中間空間１０Ａまで連通して形成されている。
【００２０】
また、上階のカーテンウォールユニット１０の底部である下枠１２位置には、下枠本体１２Ａと保持部材１２Ｂとの間にて下方に開口した底部開口１２Ｆが形成され、この底部開口１２Ｆが気密材１１Ｄおよび止水材１２Ｅの隙間を介して上部通気経路３５に連通されている。そして、底部開口１２Ｆは、連結部材１２Ｃの隙間を介して中間空間１０Ａと連通されており、これにより屋外空間から上部通気経路３５および底部開口１２Ｆを介して中間空間１０Ａまで連通された外気導入口３０Ａが構成され、この外気導入口３０Ａによって、上階のカーテンウォールユニット１０における中間空間１０Ａに外気が導入できるようになっている。一方、下部通気経路３６を介して下階のカーテンウォールユニット１０における中間空間１０Ａが屋外空間に連通され、この下部通気経路３６によって中間空間１０Ａの内気を屋外に排出する内気排出口３０Ｂが構成されている。
【００２１】
次に、第２面状体としてのＰＣカーテンウォール２０の構造およびカーテンウォールユニット１０との取合い構造について、図５〜図７も参照して説明する。ここで、図５は、カーテンウォール１の一部を拡大して示す縦断面図であり、図１に矢視Ｖ−Ｖ線で示す断面図である。図６は、カーテンウォール１の一部を拡大して示す縦断面図であり、図１に矢視VI−VI線で示す断面図である。図７は、カーテンウォール１の上部を示す横断面図である。
ＰＣカーテンウォール２０は、全体略板状に形成されたプレキャストコンクリート製であって、図示しないファスナー等を介して建物躯体に支持されている。
【００２２】
ＰＣカーテンウォール２０の上端面には、図５に示すように、アルミ形材製の端面部材２１がコンクリートに打ち込まれており、この端面部材２１に前記気密材１１Ｄと同様の気密材２１Ｂが設けられている。従って、ＰＣカーテンウォール２０の上側にカーテンウォールユニット１０が設けられた状態において、気密材２１Ｂがカーテンウォールユニット１０に当接するとともに、前記止水材１２Ｅがルーバー材４１（後述）に当接するようになっている。また、ＰＣカーテンウォール２０の下端面２２には、図６に示すように、前記止水材１２Ｅと同様の止水材２２Ｂが設けられている。従って、ＰＣカーテンウォール２０の下側にカーテンウォールユニット１０（またはＰＣカーテンウォール２０）が設けられた状態において、止水材２２Ｂが前記ルーバー材３１（またはルーバー材４１）に当接するようになっている。
【００２３】
ＰＣカーテンウォール２０の上部屋外側には、当該ＰＣカーテンウォール２０の屋外側側面から屋内側に後退した欠込み部２３が水平方向に連続して形成されている。この欠込み部２３には、複数（本実施形態では、４本）のルーバー材４１〜４４が左右に延びて取り付けられている。具体的には、図７に示すように、欠込み部２３における左右方向の適宜な位置には、上下に延びて屋内側に凹んだ複数の凹溝部２３Ａが形成されている。そして、これらの凹溝部２３Ａ内には、アンカーボルトを介してＰＣカーテンウォール２０に固定される取付部材２３Ｂが設けられており、ルーバー材４１〜４４は、取付部材２３Ｂの屋外側側面にビス止め固定されるようになっている。複数のルーバー材のうち、最上段のルーバー材４１は、上階のカーテンウォールユニット１０における下枠１２の保持部材１２Ｂに対向して延び、前記止水材１２Ｅの先端が当接されるようになっている。さらに、最上段のルーバー材４１は、ＰＣカーテンウォール２０のコンクリート上端面よりも上方に取り付けられており、このルーバー材４１と二段目のルーバー材４２との隙間、およびルーバー材４１とコンクリート上端面および端面部材２１との隙間によって第２上部通気経路４５が構成されている。
【００２４】
以上のＰＣカーテンウォール２０上側にカーテンウォールユニット１０が設けられた場合には、図５に示すように、ＰＣカーテンウォール２０の第２上部通気経路４５と、カーテンウォールユニット１０の底部開口１２Ｆとが連通される。これにより屋外空間から第２上部通気経路４５および底部開口１２Ｆを介して中間空間１０Ａまで連通された外気導入口４０Ａが構成され、この外気導入口４０Ａによって、上階のカーテンウォールユニット１０における中間空間１０Ａに外気が導入できるようになっている。一方、カーテンウォールユニット１０やＰＣカーテンウォール２０の上側にＰＣカーテンウォール２０が設けられた場合には、図６に示すように、カーテンウォールユニット１０の上部通気経路３５（またはＰＣカーテンウォール２０の第２上部通気経路４５）がＰＣカーテンウォール２０の下端面２２で閉塞され、上部通気経路３５（または第２上部通気経路４５）と屋内空間とが連通されないようになっている。
【００２５】
また、ＰＣカーテンウォール２０の各ルーバー材４１〜４４は、カーテンウォールユニット１０のルーバー材３１〜３４と略同一断面を有した部材から構成されるとともに、同一の高さ位置に取り付けられている。すなわち、二段面から四段目のルーバー材４２〜４４によって、カーテンウォールユニット１０の下部通気経路３６と同様の外観を有する外装部材が構成されている。そして、図１に示すように、カーテンウォールユニット１０およびＰＣカーテンウォール２０が上下左右に並べて設けられた状態において、ルーバー材３１〜３４とルーバー材４１〜４４とは、途中で途切れることなく互いに左右方向に連続して配置されるようになっている。
【００２６】
このような本実施形態によれば、以下のような効果がある。
(１)すなわち、カーテンウォールユニット１０同士が上下に設けられる場合、およびＰＣカーテンウォール２０の上側にカーテンウォールユニット１０が設けられる場合のいずれであっても、外気導入口３０Ａまたは外気導入口４０Ａを介して上側のカーテンウォールユニット１０の中間空間１０Ａに外気を導入することができる。そして、カーテンウォールユニット１０において、その上部の内気排出口３０Ｂを介して中間空間１０Ａの内気を屋外に排気することができる。従って、カーテンウォールユニット１０とＰＣカーテンウォール２０とが上下左右にどのように設けられた場合でも、カーテンウォールユニット１０の中間空間１０Ａを換気することができ、換気機能を備えたままでカーテンウォールユニット１０とＰＣカーテンウォール２０とを任意に配置することができ、建物外観のデザイン上の自由度を向上させることができる。
【００２７】
(２)そして、カーテンウォールユニット１０とＰＣカーテンウォール２０とが上下左右にどのように設けられた場合でも、ルーバー材３１〜３４とルーバー材４１〜４４とが左右に連続して配置されるので、外観デザインの統一感が得られ、意匠性を向上させることができる。さらに、ルーバー材３１〜３４がカーテンウォールユニット１０に取り付けられ、ルーバー材４１〜４４がＰＣカーテンウォール２０に取り付けられているので、上下に並ぶルーバー材同士が位置ずれすることがない。従って、カーテンウォールユニット１０やＰＣカーテンウォール２０の建物への取付状態に施工誤差があったとしても、ルーバー材３１〜３４同士の間隔寸法およびルーバー材４１〜４４同士の間隔寸法が変動することがなく、カーテンウォール１の外観意匠を良好にすることができる。
【００２８】
(３)さらに、カーテンウォールユニット１０の中間空間１０Ａを換気することで、中間空間１０Ａの温度上昇を抑制することができ、このような中間空間１０Ａによって外気と遮断された屋内空間の空調負荷を低減させることができる。この際、外気導入口３０Ａが中間空間１０Ａの下部に設けられ、内気排出口３０Ｂが中間空間１０Ａの上部に設けられているので、中間空間１０Ａに取り込んだ空気が日射等によって暖められて上昇することで、上昇した空気を内気排出口３０Ｂから屋外に排出することができ、換気ファンなどの動力を用いなくても自然換気によって中間空間１０Ａを換気することができる。また、屋内障子１８，１９を適宜開放することで、中間空間１０Ａに取り込んだ外気を屋内空間に取り込み、屋内空間の内気を排出することもできるので、屋内空間の空気環境が良好にできる。
【００２９】
なお、本発明は、前記実施形態に限定されるものではない。
例えば、前記実施形態では、カーテンウォール１がカーテンウォールユニット１０とＰＣカーテンウォール２０とをそれぞれ複数有して構成されていたが、これに限らず、本発明のカーテンウォールは、複数のカーテンウォールユニット１０が上下左右に設けられていてもよい。
さらに、前記実施形態では、第１面状態としてユニット化されたカーテンウォールユニット１０を用いたが、これに限らず、カーテンウォールユニット１０と同様の構成を有した上枠１１、下枠１２、縦枠１３、ガラスパネル等を建物の取付位置において組み立てるノックダウン式のカーテンウォールであってもよい。
また、前記実施形態では、カーテンウォールユニット１０が中間空間１０Ａを有したダブルスキンタイプのものであったが、これに限らず、屋外側の面材のみを有したシングルスキンタイプのものであってもよい。この場合には、外気導入口３０Ａから取り込んだ外気が屋内空間に導入され、屋内空間の内気が内気排出口３０Ｂから屋外に排出されるように構成されていればよい。
【００３０】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３１】
【図１】本実施形態に係るカーテンウォールの外観を示す正面図である。
【図２】前記カーテンウォールを示す縦断面図である。
【図３】前記カーテンウォールを示す横断面図である。
【図４】前記カーテンウォールの一部を拡大して示す縦断面図である。
【図５】前記カーテンウォールの他の一部を拡大して示す縦断面図である。
【図６】前記カーテンウォールの他の一部を拡大して示す縦断面図である。
【図７】前記カーテンウォールの一部を拡大して示す横断面図である。
【符号の説明】
【００３２】
１…カーテンウォール、１０…カーテンウォールユニット（第１面状体）、１０Ａ…中間空間、１１…上枠、１２…下枠、１２Ｆ…底部開口、１３…縦枠、１６…屋外ガラスパネル（面材）、１８，１９…屋内障子（屋内面材）、２０…ＰＣカーテンウォール（第２面状体）、３０Ａ，４０Ａ…外気導入口、３０Ｂ…内気排出口、３５…上部通気経路（第１上部通気経路）、３６…下部通気経路、４２〜４４…ルーバー材（外装部材）、４５…第２上部通気経路。
【図１】
0004870718.tif 000002
【図２】
0004870718.tif 000003
【図３】
0004870718.tif 000004
【図４】
0004870718.tif 000005
【図５】
0004870718.tif 000006
【図６】
0004870718.tif 000007
【図７】
0004870718.tif 000008